(57)【要約】【課題】快適かつ衛生的にトイレを使用することができる災害用トイレシステムを提供する。【解決手段】災害用トイレシステム１は、屎尿Ｅが投入され、洗浄水Ｗの供給によって屎尿Ｅ及び洗浄水Ｗを排出する水洗便器２と、水洗便器２から排出された屎尿Ｅ及び洗浄水Ｗが投入され、屎尿Ｅ及び洗浄水Ｗの固形部分Ｓを撹拌装置３ｄによって空気Ａが注入されたおがくずＤに付着した好気性微生物によって生分解して消滅させるとともに、屎尿Ｅ及び洗浄水Ｗの液体部分Ｌを排出する固形処理槽３と、固形処理槽３から排出された屎尿Ｅ及び洗浄水Ｗの液体部分Ｌを散気管４ｅによって空気Ａが注入された活性汚泥に含有された好気性微生物によって生分解して浄化した処理水Ｔ１を排出する液体処理槽４と、を備え、液体処理槽４から排出された処理水Ｔ１が、水洗便器２に供給されて洗浄水Ｗとして環流されるものである。【選択図】図１
2019073944.tif 000002
【特許請求の範囲】
【請求項１】
屎尿が投入され、洗浄水の供給によって屎尿及び洗浄水を排出する水洗便器と、
前記水洗便器から排出された屎尿及び洗浄水が投入され、屎尿及び洗浄水の固形部分を撹拌装置によって空気が注入されたおがくずに付着した好気性微生物によって生分解して消滅させるとともに、屎尿及び洗浄水の液体部分を排出する固形処理槽と、
前記固形処理槽から排出された屎尿及び洗浄水の液体部分を曝気装置によって空気が注入された活性汚泥に含有された好気性微生物によって生分解して浄化した処理水を排出する液体処理槽と、を備え、
前記液体処理槽から排出された処理水が、前記水洗便器に供給されて洗浄水として環流されてなる災害用トイレシステム。
【請求項２】
前記固形処理槽は、おがくず、屎尿及び洗浄水の固形部分を収容するとともに、屎尿及び洗浄水の液体部分が通過可能に形成された収容部と、前記収容部を通過した屎尿及び洗浄水の液体部分の一部を貯留するとともに、屎尿及び洗浄水の液体部分の残部を前記液体処理槽に排出する液体排出装置と、を有してなる請求項１に記載の災害用トイレシステム。
【請求項３】
前記液体排出装置は、前記収容部を通過した屎尿及び洗浄水の液体部分の一部を貯留する貯留量を調整する調整部材を有してなる請求項２に記載の災害用トイレシステム。
【請求項４】
前記液体処理槽から排出された処理水を、前記固形処理槽に収容されたおがくずに供給する液体供給装置をさらに備えてなる請求項１〜３の何れか１項に記載の災害用トイレシステム。
【請求項５】
前記水洗便器と前記固形処理槽との間に設けられ、前記水洗便器から排出された屎尿及び洗浄水を粉砕して前記固形処理槽に圧送する圧送粉砕装置をさらに備えてなる請求項１〜４の何れか１項に記載の災害用トイレシステム。
【発明の詳細な説明】
【技術分野】
【０００１】
本発明は、主に、災害時に使用する災害用トイレシステムに関する。
【背景技術】
【０００２】
従来、災害時に使用する災害用トイレシステムとして、例えば、便槽（貯蔵タンク）に屎尿を貯蔵する汲み取り式の仮設トイレが知られている（特許文献１参照）。この種の汲み取り式の仮設トイレは、便槽に貯蔵された屎尿を屎尿収集車（バキュームカー）により汲み取ることによって、トイレを繰り返し使用することができるものである。
【先行技術文献】
【特許文献】
【０００３】
【特許文献１】実用新案登録第２５６５２０３号公報
【発明の概要】
【発明が解決しようとする課題】
【０００４】
しかしながら、上記従来の汲み取り式の仮設トイレは、便槽に貯蔵された屎尿から臭気が発生したり、便器に屎尿が付着して汚染されたり、ということがあるから、快適かつ衛生的にトイレを使用することができず、もって、普及率が低いという問題があった。
【０００５】
そこで、本発明は、上述の事情に鑑み、快適かつ衛生的にトイレを使用することができる災害用トイレシステムを提供することを目的としている。
【課題を解決するための手段】
【０００６】
上記目的を達成するための手段を図面の参照符号を付して示せば、請求項１の発明に係る災害用トイレシステム１は、
屎尿Ｅが投入され、洗浄水Ｗの供給によって屎尿Ｅ及び洗浄水Ｗを排出する水洗便器２と、
前記水洗便器２から排出された屎尿Ｅ及び洗浄水Ｗが投入され、屎尿Ｅ及び洗浄水Ｗの固形部分Ｓを撹拌装置３ｄによって空気Ａが注入されたおがくずＤに付着した好気性微生物によって生分解して消滅させるとともに、屎尿Ｅ及び洗浄水Ｗの液体部分Ｌを排出する固形処理槽３と、
前記固形処理槽３から排出された屎尿Ｅ及び洗浄水Ｗの液体部分Ｌを散気管４ｅ（曝気装置）によって空気Ａが注入された活性汚泥に含有された好気性微生物によって生分解して浄化した処理水Ｔ１を排出する液体処理槽４と、を備え、
前記液体処理槽４から排出された処理水Ｔ１が、前記水洗便器２に供給されて洗浄水Ｗとして環流されてなることを特徴としている。
【０００７】
請求項２の発明は、上記請求項１に記載の災害用トイレシステム１において、前記固形処理槽３は、おがくずＤ、屎尿Ｅ及び洗浄水Ｗの固形部分Ｓを収容するとともに、屎尿Ｅ及び洗浄水Ｗの液体部分Ｌが通過可能に形成された収容部３ｂと、前記収容部３ｂを通過した屎尿Ｅ及び洗浄水Ｗの液体部分Ｌの一部を貯留するとともに、屎尿Ｅ及び洗浄水Ｗの液体部分Ｌの残部を前記液体処理槽４に排出する液体排出装置３ｃと、を有してなることを特徴としている。
【０００８】
請求項３の発明は、上記請求項２に記載の災害用トイレシステム１において、前記液体排出装置３ｃは、前記収容部３ｂを通過した屎尿Ｅ及び洗浄水Ｗの液体部分Ｌの一部を貯留する貯留量を調整する調整部材３ｃ２を有してなることを特徴としている。
【０００９】
請求項４の発明は、上記請求項１〜３の何れか１項に記載の災害用トイレシステム１において、前記液体処理槽４から排出された処理水Ｔ１を、前記固形処理槽３に収容されたおがくずＤに供給する散水管３ｆ（液体供給装置）をさらに備えてなることを特徴としている。
【００１０】
請求項５の発明は、上記請求項１〜４の何れか１項に記載の災害用トイレシステム１において、前記水洗便器２と前記固形処理槽３との間に設けられ、前記水洗便器２から排出された屎尿Ｅ及び洗浄水Ｗを粉砕して前記固形処理槽３に圧送する圧送粉砕ポンプ２ｂ（圧送粉砕装置）をさらに備えてなることを特徴としている。
【発明の効果】
【００１１】
以下に、本発明の効果について、図面の参照符号を付して説明する。請求項１の発明に係る災害用トイレシステム１は、固形処理槽３によって、水洗便器２から排出された屎尿Ｅ及び洗浄水Ｗの固形部分Ｓを撹拌装置３ｄによって空気Ａが注入されたおがくずＤに付着した好気性微生物によって生分解して消滅させるとともに、液体処理槽４によって、固形処理槽３から排出された屎尿Ｅ及び洗浄水Ｗの液体部分Ｌを散気管４ｅ（曝気装置）によって空気Ａが注入された活性汚泥に含有された好気性微生物によって生分解して浄化することとなる。これにより、従来のように便槽に貯蔵された屎尿Ｅから臭気が発生することがなく、もって、快適にトイレを使用することができる。
【００１２】
さらに、本発明によれば、液体処理槽４から排出された処理水Ｔ１が、水洗便器２に供給されて洗浄水Ｗとして環流されるから、特に、災害時において上水道が使用できない場合であっても、水洗便器２に洗浄水Ｗを供給することができることとなり、もって、水洗便器２に屎尿Ｅが付着して汚染されることがなくなる。これにより、衛生的にトイレを使用することができることとなる。
【００１３】
一方、請求項２の発明によれば、液体排出装置３ｃに貯留された屎尿Ｅ及び洗浄水Ｗの液体部分Ｌの一部が蒸発して収容部３ｂを通過し、収容部３ｂに収容されたおがくずＤに吸収されることとなるから、おがくずＤに吸収されている屎尿Ｅ及び洗浄水Ｗの液体部分Ｌの水分量を適切にすることができる。すなわち、おがくずＤに付着した好気性微生物を活性化することができる。これにより、好気性微生物による屎尿Ｅ及び洗浄水Ｗの固形部分Ｓの生分解を促進することができる。
【００１４】
また、請求項３の発明によれば、液体排出装置３ｃが、収容部３ｂを通過した屎尿Ｅ及び洗浄水Ｗの液体部分Ｌの一部を貯留する貯留量を調整する調整部材３ｃ２を有しているから、おがくずＤの湿度、すなわち、おがくずＤに吸収されている屎尿Ｅ及び洗浄水Ｗの液体部分Ｌの水分量をさらに適切にすることができ、もって、好気性微生物による屎尿Ｅ及び洗浄水Ｗの固形部分Ｓの生分解をさらに促進することができる。
【００１５】
さらに、請求項４の発明によれば、液体処理槽４から排出された処理水Ｔ１を、固形処理槽３に収容されたおがくずＤに供給する散水管３ｆ（液体供給装置）が設けられているから、おがくずＤに吸収されている屎尿Ｅ及び洗浄水Ｗの液体部分Ｌの水分量が、散水管３ｆ（液体供給装置）によって供給された処理水Ｔ１の水分量だけ増加することによって、おがくずＤの湿度、すなわち、おがくずＤに吸収されている屎尿Ｅ及び洗浄水Ｗの液体部分Ｌの水分量をさらに適切にすることができる。これにより、好気性微生物による屎尿Ｅ及び洗浄水Ｗの固形部分Ｓの生分解をさらに促進することができる。
【００１６】
そしてさらに、請求項５の発明によれば、水洗便器２から排出された屎尿Ｅ及び洗浄水Ｗを粉砕して固形処理槽３に圧送する圧送粉砕ポンプ２ｂ（圧送粉砕装置）が設けられているから、この圧送粉砕ポンプ２ｂ（圧送粉砕装置）によって、屎尿Ｅ及び洗浄水Ｗの固形部分Ｓが細粒化されることとなり、もって、好気性微生物による屎尿Ｅ及び洗浄水Ｗの固形部分Ｓの生分解を促進することができる。
【図面の簡単な説明】
【００１７】
【図１】本発明の一実施形態に係る災害用トイレシステムを例示するブロック図である。
【図２】同実施形態に係る災害用トイレシステムを例示し、（ａ）は、平面図であり、（ｂ）は、正面断面図であり、（ｃ）は、側面断面図である。
【図３】同実施形態に係る災害用トイレシステムの液体排出装置を拡大して例示し、（ａ）は、貯留空間の貯留量が増加したときの正面断面図であり、（ｂ）は、貯留空間の貯留量が減少したときの正面断面図である。
【発明を実施するための形態】
【００１８】
以下に、本発明に係る災害用トイレシステムの一実施形態について、図１及び図２を参照して具体的に説明する。なお、以下の説明において、上下左右の方向を示す場合は、図示正面から見た場合の上下左右をいうものとする。
【００１９】
図１及び図２に示す災害用トイレシステム１は、主に、災害時に使用するものであって、特に、災害時において上水道、下水道、下水処理場（終末処理場）、屎尿収集車（バキュームカー）、屎尿処理施設（一般廃棄物処理施設）、浄化槽（合併処理浄化槽）等が使用できない場合でも、トイレを使用することができる自己処理型（自己完結型）のトイレシステムである。
【００２０】
この災害用トイレシステム１は、図１及び図２に示すように、屎尿Ｅが投入され、洗浄水Ｗの供給によって屎尿Ｅ及び洗浄水Ｗを排出する水洗便器２（図１参照）と、水洗便器２から排出された屎尿Ｅ及び洗浄水Ｗが投入され、屎尿Ｅ及び洗浄水Ｗの液体部分Ｌを排出する固形処理槽３と、固形処理槽３から排出された屎尿Ｅ及び洗浄水Ｗの液体部分Ｌを散気管４ｅによって空気Ａが注入された活性汚泥に含有された好気性微生物によって生分解して浄化した処理水Ｔ１を排出する液体処理槽４と、液体処理槽４と水洗便器２との間に設けられ、液体処理槽４から排出された処理水Ｔ１を濾過する第１濾過槽５と、第１濾過槽５から排出された処理水Ｔ２を濾過する第２濾過槽６（図１参照）と、第２濾過槽６から排出されバイオ洗浄剤Ｂと混合された洗浄水Ｗを貯留する洗浄水貯留槽７（図１参照）と、洗浄水貯留槽７から排出された洗浄水Ｗが供給され、粉状栄養剤Ｎと混合された液状栄養剤Ｍを貯留するとともに、液状栄養剤Ｍを固形処理槽３に供給する栄養剤貯留槽８（図１参照）と、を主に備えている。なお、液体処理槽４から排出された処理水Ｔ１は、第１濾過槽５において濾過され処理水Ｔ２となり、その処理水Ｔ２が第２濾過槽６にて不純物が除去され洗浄水Ｗとなることによって、洗浄水貯留槽７及び水洗タンク２ａを介して、水洗便器２に供給されて洗浄水Ｗとして環流されることとなる。
【００２１】
水洗便器２は、図１に示すように、例えば、便座に腰掛けて使用する洋式（腰掛式）の便器であって、水洗タンク２ａ（例えば、ロータンク）から供給された洗浄水Ｗによって、水洗便器２に投入された屎尿Ｅ及び洗浄水Ｗを排出するとともに、水洗便器２を洗浄するものである。そして、このような水洗便器２と固形処理槽３との間には、図１に示すように、水洗便器２から排出された屎尿Ｅ及び洗浄水Ｗの固形部分Ｓを粉砕して固形処理槽３に圧送する圧送粉砕ポンプ２ｂが設けられている。
【００２２】
この圧送粉砕ポンプ２ｂは、屎尿Ｅ及び洗浄水Ｗの固形部分Ｓを粉砕して細粒化するディスポーザ（図示せず）と、ディスポーザによって粉砕された屎尿Ｅ及び洗浄水Ｗを固形処理槽３に圧送する圧送ポンプ（図示せず）と、を備えている。しかるに、このように構成される圧送粉砕ポンプ２ｂは、屎尿Ｅ及び洗浄水Ｗが所定量投入されるとモータ（図示せず）が駆動し、モータに接続されたディスポーザの回転刃（図示しないカッタ）が回転することによって屎尿Ｅ及び洗浄水Ｗの固形部分Ｓが粉砕され、さらに、モータに接続された圧送ポンプの羽根車（図示しないインペラ）が回転することによって屎尿Ｅ及び洗浄水Ｗが固形処理槽３に圧送されるようになっている。一方、屎尿Ｅ及び洗浄水Ｗが所定量排出されるとモータが停止し、ディスポーザの回転刃の回転及び圧送ポンプの羽根車の回転が停止するようになっている。なお、圧送粉砕ポンプ２ｂは、水洗便器２と別体で設けられている。
【００２３】
しかして、このような圧送粉砕ポンプ２ｂを設けることによって、屎尿Ｅ及び洗浄水Ｗの固形部分Ｓが細粒化されることとなるから、好気性微生物による屎尿Ｅ及び洗浄水Ｗの固形部分Ｓの生分解を促進することができることとなる。
【００２４】
固形処理槽３は、図１に示すように、圧送粉砕ポンプ２ｂから排出された屎尿Ｅ及び洗浄水Ｗが供給され、細粒化された屎尿Ｅ及び洗浄水Ｗの固形部分Ｓが撹拌装置３ｄによって、空気Ａが注入されたおがくずＤに付着した好気性微生物によって生分解して消滅させるとともに、屎尿Ｅ及び洗浄水Ｗの液体部分Ｌを排出する反応槽である。この固形処理槽３は、図２に示すように、液体処理槽４の右側上方に載置固定され（図２（ｂ）参照）、上方及び下方が開口する直方体形状の本体部３ａと、本体部３ａの内部に設けられ、おがくずＤ、屎尿Ｅ及び洗浄水Ｗの固形部分Ｓを収容するとともに、屎尿Ｅ及び洗浄水Ｗの液体部分Ｌが通過可能なように下端部３ｂ１（図３参照）が網目状（メッシュ状）に形成された収容部３ｂと、収容部３ｂの下方に設けられ、収容部３ｂの下端部３ｂ１（図３参照）を通過した屎尿Ｅ及び洗浄水Ｗの液体部分Ｌの一部を貯留するとともに、屎尿Ｅ及び洗浄水Ｗの液体部分Ｌの残部を矢印Ｙ方向（図２（ｂ）参照、下方向）に向けて液体処理槽４に排出する液体排出装置３ｃと、収容部３ｂの内部に回転可能に設けられ、おがくずＤ、屎尿Ｅ及び洗浄水Ｗの固形部分Ｓを撹拌する撹拌装置３ｄと、収容部３ｂの側方に設けられ、撹拌装置３ｄを回転するモータ３ｅと、を有している。
【００２５】
ところで、この本体部３ａは、図２に示すように、内部に収容部３ｂ、液体排出装置３ｃ、撹拌装置３ｄ、モータ３ｅを収容して固定する直方体形状のケーシングであって、４側面の各表面及び上部には、発泡スチロール等の断熱材が取り付けられている。なお、図２（ａ）では、上部の断熱材の図示を省略している。
【００２６】
また、この本体部３ａは、図２に示すように、上方が、圧送粉砕ポンプ２ｂから排出された屎尿Ｅ及び洗浄水Ｗが供給可能なように、平面視矩形状に開口する開口部３ａ１（図２（ｂ），図２（ｃ）参照）を有しており、下方が、屎尿Ｅ及び洗浄水Ｗの液体部分Ｌを液体処理槽４に排出可能なように開口している。
【００２７】
一方、収容部３ｂは、図３に示すように、ステンレス製の板状部材を正面視Ｕ字形状となるように湾曲させた湾曲板であって、おがくずＤ、屎尿Ｅ及び洗浄水Ｗの固形部分が通過不能に形成される一方で、下端部３ｂ１（図３参照）において、屎尿Ｅ及び洗浄水Ｗの液体部分Ｌが通過可能なように形成されているメッシュ容器である。なお、このように形成される収容部３ｂに収容されるおがくずＤは、好気性微生物が付着する菌床であって、例えば、スギ、マツ等の木粉、木屑、木質チップ（木片）等からなる菌床である。好気性微生物は、屎尿Ｅ及び洗浄水Ｗの固形部分Ｓ（有機物）を、空気Ａ（酸素）を取り込む好気呼吸によって炭酸ガス（二酸化炭素）と水蒸気（水）とに生分解して消滅させるものであって、例えば、枯草菌（偏性好気性微生物）などのバチルス属に分類される真正細菌、大腸菌（通性嫌気性微生物）などの腸内細菌等の複数種類の微生物である。なお、本明細書の好気性微生物は、空気Ａ（酸素）を取り込む好気呼吸を行う微生物であって、例えば、通性好気性微生物、偏性好気性微生物、微好気性微生物、通性嫌気性微生物を含むものである。
【００２８】
一方、液体排出装置３ｃは、図３に示すように、収容部３ｂの下方に設けられ、下端部３ｂ１が網目状（メッシュ状）に形成された収容部３ｂを通過した屎尿Ｅ及び洗浄水Ｗの液体部分Ｌの一部を貯留する貯留空間Ｐを形成するとともに、屎尿Ｅ及び洗浄水Ｗの液体部分Ｌの残部を先端部３ｃ１ａから矢印Ｙ方向（下方向）に向けて液体処理槽４に排出する貯留部材３ｃ１と、貯留部材３ｃ１の基端部３ｃ１ｂに設けられ、収容部３ｂの下端部３ｂ１を通過した屎尿Ｅ及び洗浄水Ｗの液体部分Ｌの一部を貯留空間Ｐに貯留する貯留量を調整する調整部材３ｃ２と、貯留部材３ｃ１を支持する複数本（例えば、４本）の棒状部材からなる支持部材３ｃ３と、収容部３ｂの下端部３ｂ１を通過した屎尿Ｅ及び洗浄水Ｗの液体部分Ｌの一部を貯留する貯留空間Ｐの下部において、収容部３ｂの下端部３ｂ１に接触するように設けられ、屎尿Ｅ及び洗浄水Ｗの液体部分Ｌの一部が通過するとともに、屎尿Ｅ及び洗浄水Ｗの液体部分Ｌの一部のうち、収容部３ｂの下端部３ｂ１を通過した微小な固形部分を吸着するウレタン製のスポンジ等の濾過フィルタ３ｃ４と、を有している。
【００２９】
この貯留部材３ｃ１は、図３に示すように、ステンレス製の板状部材を正面視Ｕ字形状となるように湾曲した湾曲板であって、収容部３ｂとの間に正面視Ｕ字形状となるように湾曲した貯留空間Ｐを形成するものである。
【００３０】
一方、調整部材３ｃ２は、上下方向に延びる高さ調整ねじであって、下端部が貯留部材３ｃ１の基端部３ｃ１ｂを上下方向に移動させることによって、貯留部材３ｃ１の先端部３ｃ１ａの高さを調整するものである。より詳しく説明すると、図３（ａ）に示すように、調整部材３ｃ２を右方向（時計回りの方向）に回転操作すると、調整部材３ｃ２が下方向に移動し、貯留部材３ｃ１の基端部３ｃ１ｂが下方向に移動することとなる。これにより、貯留部材３ｃ１の先端部３ｃ１ａが上方向に移動し、貯留部材３ｃ１の先端部３ｃ１ａの高さＨ１が高くなる。しかして、このようにすれば、貯留空間Ｐが広くなり、貯留空間Ｐに貯留される屎尿Ｅ及び洗浄水Ｗの液体部分Ｌの一部が増加することとなる。他方、図３（ｂ）に示すように、調整部材３ｃ２を左方向（反時計回りの方向）に回転操作すると、調整部材３ｃ２が上方向に移動し、貯留部材３ｃ１の基端部３ｃ１ｂが上方向に移動することとなる。これにより、貯留部材３ｃ１の先端部３ｃ１ａが下方向に移動し、貯留部材３ｃ１の先端部３ｃ１ａの高さＨ２が低くなる。しかして、このようにすれば、貯留空間Ｐが狭くなり、貯留空間Ｐに貯留される屎尿Ｅ及び洗浄水Ｗの液体部分Ｌの一部が減少することとなる。
【００３１】
撹拌装置３ｄは、図２に示すように、複数本（例えば、２４本）の撹拌羽根（図示せず）を回転させることによっておがくずＤ、屎尿Ｅ及び洗浄水Ｗの固形部分Ｓを撹拌して空気Ａを注入するミキサであって、モータ３ｅは、例えば、撹拌装置３ｄの撹拌羽根が固定された撹拌軸（図示せず）を正転及び逆転させるインダクションモータ（誘導電動機）等のギアモータ（減速機付電動機）である。なお、本実施形態においては、圧送粉砕ポンプ２ｂから排出された屎尿Ｅ及び洗浄水Ｗが固形処理槽３に供給されると、モータ３ｅが所定時間（例えば、９０秒間）駆動し、撹拌装置３ｄが正転及び逆転するようになっている。
【００３２】
かくして、このように構成される固形処理槽３は、屎尿Ｅ及び洗浄水Ｗの液体部分Ｌが通過可能なように、下端部３ｂ１が網目状に形成された収容部３ｂと、収容部３ｂの下端部３ｂ１を通過した屎尿Ｅ及び洗浄水Ｗの液体部分Ｌの一部を貯留するとともに、屎尿Ｅ及び洗浄水Ｗの液体部分Ｌの残部を液体処理槽４に排出する液体排出装置３ｃと、を有しているから、液体排出装置３ｃに貯留された屎尿Ｅ及び洗浄水Ｗの液体部分Ｌの一部が蒸発し、下端部３ｂ１が網目状に形成された収容部３ｂを通過し、収容部３ｂに収容されたおがくずＤに吸収されることとなる。これにより、おがくずＤの湿度、すなわち、おがくずＤに吸収されている屎尿Ｅ及び洗浄水Ｗの液体部分Ｌの水分量を適切（例えば、３０％）にする（おがくずＤに付着した好気性微生物を活性化する）ことができ、好気性微生物による屎尿Ｅ及び洗浄水Ｗの固形部分Ｓの生分解を促進することができることとなる。
【００３３】
そしてさらに、液体排出装置３ｃが、収容部３ｂの下端部３ｂ１を通過した屎尿Ｅ及び洗浄水Ｗの液体部分Ｌの一部を貯留する貯留量を調整する調整部材３ｃ２を有しているから、おがくずＤの湿度、すなわち、おがくずＤに吸収されている屎尿Ｅ及び洗浄水Ｗの液体部分Ｌの水分量をさらに適切（例えば、３０％）にすることができ、もって、好気性微生物による屎尿Ｅ及び洗浄水Ｗの固形部分Ｓの生分解をさらに促進することができる。
【００３４】
ところで、上記のように構成される固形処理槽３には、図２に示すように、後述する液体処理槽４から水中ポンプ４ｈによって汲み上げられた処理水Ｔ１を固形処理槽３に収容されたおがくずＤに供給する散水管３ｆが設けられている。この点より詳しく説明すると、液体処理槽４に収容された処理水Ｔ１を汲み上げる水中ポンプ４ｈの吐出口には、ホース（図示せず）の一端部が接続され、ホースの他端部には、ステンレス鋼管等からなる配管部材３ｇの基端部が接続されている。そして、この配管部材３ｇは、図２（ａ）に示すように、先端部が、液体処理槽４の上方においてコ字形状に屈曲して液体処理槽４の上側側部（図２（ａ）の下側）に突出し、液体処理槽４の上側側部に沿って右側に固形処理槽３の下側側部の下方まで延び、固形処理槽３の下側側部の下方から固形処理槽３の上側側部に向けて延び、固形処理槽３の上側側部において散水管３ｆに接続されている。この散水管３ｆは、固形処理槽３の上側側部から固形処理槽３の内部に突出し、固形処理槽３に収容されたおがくずＤの上方に配置され、複数箇所（例えば、４箇所）に形成された散水口（図示せず）から、処理水Ｔ１をおがくずＤに噴射して供給するものである。
【００３５】
しかして、このように、液体処理槽４から水中ポンプ４ｈによって汲み上げられた処理水Ｔ１を、散水管３ｆによって、固形処理槽３に収容されたおがくずＤに供給することにより、おがくずＤの湿度、すなわち、おがくずＤに吸収されている屎尿Ｅ及び洗浄水Ｗの液体部分Ｌの水分量が、散水管３ｆによって供給された処理水Ｔ１の水分量だけ増加することとなり、もって、おがくずＤに吸収されている屎尿Ｅ及び洗浄水Ｗの液体部分Ｌの水分量をさらに適切にすることができることとなる。これにより、好気性微生物による屎尿Ｅ及び洗浄水Ｗの固形部分Ｓの生分解をさらに促進することができることとなる。
【００３６】
一方、上記のように構成される固形処理槽３には、図３に示すように、収容部３ｂの側部を加熱することによっておがくずＤを加熱するシリコンラバーヒータ等のヒータ３ｈが、収容部３ｂの下端部３ｂ１を除く側部に沿うように配置され、さらに、図２（ａ）に示すように、おがくずＤの温度を計測する熱電対Ｋタイプの温度計３ｉが、収容部３ｂの内部に配置され、そしてさらに、図２（ａ）に示すように、おがくずＤの湿度（おがくずＤに吸収されている屎尿Ｅ及び洗浄水Ｗの液体部分Ｌの水分量）を計測する湿度計（図示せず）が、収容部３ｂの内部に配置されている。しかして、このようにヒータ３ｈを固形処理槽３に配置することによって、おがくずＤを加熱することができるから、おがくずＤの温度を適切にすることができ、もって、好気性微生物による屎尿Ｅ及び洗浄水Ｗの固形部分Ｓの生分解を促進することができる。さらに、温度計３ｉ及び湿度計を固形処理槽３に配置することによって、おがくずＤの温度及びおがくずＤの湿度（おがくずＤに吸収されている屎尿Ｅ及び洗浄水Ｗの液体部分Ｌの水分量）を把握することができるから、散水管３ｆの散水量（水中ポンプ４ｈの駆動時間）を調節したり、ヒータ３ｈの温度を調節したりすることによって、おがくずＤの温度及びおがくずＤの湿度をさらに適切（例えば、３０％）にすることができる。これにより、好気性微生物による屎尿Ｅ及び洗浄水Ｗの固形部分Ｓの生分解をさらに促進することができる。
【００３７】
液体処理槽４は、図２に示すように、固形処理槽３の液体排出装置３ｃから排出された屎尿Ｅ及び洗浄水Ｗの液体部分Ｌを散気管４ｅによって空気Ａが注入された活性汚泥に含有された好気性微生物によって生分解して浄化した処理水Ｔ１を排出する反応槽である。
【００３８】
この液体処理槽４は、図２に示すように、左側上方が閉塞されるとともに、右側上方が開口する本体部４ａと、本体部４ａの内部に設けられ、活性汚泥、屎尿Ｅ及び洗浄水Ｗの液体部分Ｌを収容する収容部４ｂと、本体部４ａの左側上部に設けられ、空気Ａを吐出するエアポンプ４ｃと、本体部４ａの左側上部から収容部４ｂの中央側底部にわたって設けられ、基端部がエアポンプ４ｃの吐出口に接続され、先端部が収容部４ｂの中央側底部において前後方向に延びる配管部材４ｄと、収容部４ｂの中央側底部から左側底部に設けられ、配管部材４ｄの先端部に互いに間隔をあけて複数本（例えば、３本）接続され、複数本のそれぞれに形成された複数の散気口（図示せず）よって、収容部４ｂに収容された活性汚泥、屎尿Ｅ及び洗浄水Ｗの液体部分Ｌに空気Ａを注入する散気管４ｅと、本体部４ａの左側前部から収容部４ｂの内部に向けて設けられ、収容部４ｂに収容された活性汚泥、屎尿Ｅ及び洗浄水Ｗの液体部分Ｌを加熱するヒータ４ｆと、収容部４ｂの底部に設けられ、活性汚泥に含有された好気性微生物によって屎尿Ｅ及び洗浄水Ｗの液体部分Ｌを生分解して浄化した処理水Ｔ１を汲み上げ、第１濾過槽５に排出する水中ポンプ４ｇと、収容部４ｂの底部に設けられ、収容部４ｂに収容された処理水Ｔ１を汲み上げ、配管部材３ｇを介して、散水管３ｆに排出する水中ポンプ４ｈと、本体部４ａの左側上部から収容部４ｂの内部に向けて設けられ、収容部４ｂに収容された処理水Ｔ１の水位を計測する水位計４ｉと、を有している。
【００３９】
ところで、この本体部４ａは、図２に示すように、内部に収容部４ｂを収容して固定する直方体形状のケーシングであって、４側面の各表面及び左側上部には、発泡スチロール等の断熱材が取り付けられている。そしてさらに、この本体部４ａは、右側上部が、本体部４ａの右側上方に載置固定された固形処理槽３の液体排出装置３ｃから排出された屎尿Ｅ及び洗浄水Ｗの液体部分Ｌが供給可能に開口している。
【００４０】
一方、収容部４ｂは、ステンレス製の直方体形状の水槽であって、活性汚泥、屎尿Ｅ及び洗浄水Ｗの液体部分Ｌを収容するとともに、活性汚泥に含有された好気性微生物によって屎尿Ｅ及び洗浄水Ｗの液体部分Ｌを生分解して浄化した処理水Ｔ１を収容するものである。この収容部４ｂに収容される活性汚泥は、活性汚泥法で使用されるものであって、好気性微生物が含有される綿状の塊（フロック）からなる浮遊性有機汚泥（担体）である。好気性微生物は、屎尿Ｅ及び洗浄水Ｗの液体部分Ｌ（有機物）を、空気Ａ（酸素）を取り込む好気呼吸によって炭酸ガス（二酸化炭素）と水蒸気（水）とに生分解して浄化するものであって、例えば、シュードモナス属、ズーグレア属、バチルス属、フラボバクテリウム属などに分類される真正細菌、糸状菌などの菌類、ボルティセラ（ツリガネムシ）、パラメシウム（ゾウリムシ）などの繊毛虫類と、アルケラ（ナベカムリ）、アメーバなどの肉質虫類と、ペラネマ、ユーグレナ（ミドリムシ）などの鞭毛虫類と、に分類される原生動物、ロタリア（ワムシ）、カエトノータス（イタチムシ）、ネマトーダ（線虫）、クマムシなどの後生動物等の複数種類の微生物である。
【００４１】
一方、エアポンプ４ｃは、電磁式エアポンプ等のダイアフラムポンプ等からなり、図２に示すように、本体部４ａの左側上部に取り付けられた発泡スチロール等の断熱材の上面に設けられ、配管部材４ｄを介して、散気管４ｅに空気を吐出するものである。
【００４２】
さらに、配管部材４ｄは、硬質ポリ塩化ビニル（ＰＶＣ）製の厚肉管であるＶＰ管等であって、図２に示すように、エアポンプ４ｃと散気管４ｅとを接続するものである。
【００４３】
そしてさらに、散気管４ｅは、ＶＰ管等であって、長手方向（左右方向）の上面に複数の散気口が形成されたものであって、図２に示すように、複数の散気口から収容部４ｂに収容された活性汚泥、屎尿Ｅ及び洗浄水Ｗの液体部分Ｌに空気Ａ（酸素）を注入するものである。
【００４４】
一方、ヒータ４ｆは、液体加熱用のシースヒータ等であって、図２に示すように、収容部４ｂに収容された活性汚泥、屎尿Ｅ及び洗浄水Ｗの液体部分Ｌを加熱して、活性汚泥に含有された好気性微生物を活性化するものである。
【００４５】
さらに、水中ポンプ４ｇは、液体処理槽４に収容された処理水Ｔ１を汲み上げる電動ポンプであって、例えば、非自動型の強化樹脂製の排水用水中ポンプであり、この水中ポンプ４ｇの吐出口には、ホース（図示せず）の一端部が接続され、ホースの他端部には、第１濾過槽５の第１収容部５ｂ１に投入されている。これにより、液体処理槽４に収容された処理水Ｔ１を汲み上げ、第１濾過槽５に排出することができることとなる。
【００４６】
そしてさらに、水中ポンプ４ｈは、液体処理槽４に収容された処理水Ｔ１を汲み上げる電動ポンプであって、例えば、非自動型の強化樹脂製の排水用水中ポンプであり、水中ポンプ４ｈの吐出口には、ホース（図示せず）の一端部が接続され、ホースの他端部には、ステンレス鋼管等からなる配管部材３ｇの基端部が接続されている。
【００４７】
また、水位計４ｉは、収容部４ｂに収容された処理水Ｔ１の水位を計測する液面レベルセンサであって、例えば、縦型のフロートスイッチである。
【００４８】
第１濾過槽５は、図１に示すように、液体処理槽４と第２濾過槽６との間に設けられ、液体処理槽４から排出された処理水Ｔ１を濾過する処理槽である。
【００４９】
この第１濾過槽５は、図２に示すように、液体処理槽４の左側部に隣接して配置され、上方が開口する本体部５ａと、本体部５ａの内部に設けられる収容部５ｂと、収容部５ｂの内部の中央部に立設して設けられ、収容部５ｂを右側の第１収容部５ｂ１と左側の第２収容部５ｂ２とに仕切るとともに、第１収容部５ｂ１と第２収容部５ｂ２とを連通する開口部５ｃ１を有する板状部材５ｃと、第１収容部５ｂ１の底部に設けられ、第１液体処理槽４から排出され、第１収容部５ｂ１に供給された処理水Ｔ１を濾過する複数枚（例えば、３枚）の濾過フィルタ５ｄと、第２収容部５ｂ２の底部に設けられ、板状部材５ｃの開口部５ｃ１から矢印Ｘ方向に向けて排出されて第２収容部５ｂ２に収容され、濾過フィルタ５ｄによって濾過された処理水Ｔ２を汲み上げ、第２濾過槽６（図１参照）に排出する水中ポンプ５ｅと、第２収容部５ｂ２に収容された処理水Ｔ２の水位を計測する水位計５ｆと、を有している。
【００５０】
ところで、この本体部５ａは、図２に示すように、内部に収容部５ｂを収容して固定する直方体形状のケーシングであって、４側面の各表面には、発泡スチロール等の断熱材が取り付けられている。なお、本実施形態においては、本体部５ａの右側の断熱材が、液体処理槽４の本体部４ａの左側の断熱材と兼用された構成になっている。
【００５１】
一方、収容部５ｂは、ステンレス製の直方体形状の水槽であって、板状部材５ｃによって、液体処理槽４から排出された処理水Ｔ１を収容する第１収容部５ｂ１と、濾過フィルタ５ｄによって濾過された処理水Ｔ２を収容する第２収容部５ｂ２と、に分割されている。この板状部材５ｃは、収容部５ｂの内部の前後方向の幅及び高さと同一になるように形成され、中央部に矩形状の開口部５ｃ１を有する仕切板である。
【００５２】
ところで、この開口部５ｃ１は、濾過フィルタ５ｄによって濾過された処理水Ｔ２を第１収容部５ｂ１から第２収容部５ｂ２に矢印Ｘ方向に向けて排出するものであって、例えば、濾過フィルタ５ｄの中間部と上端部との間が開口するものである。なお、本実施形態においては、板状部材５ｃが、開口部５ｃ１の高さを調整することができるように、スライド可能な複数の部材（図示せず）によって構成されている。
【００５３】
一方、濾過フィルタ５ｄは、液体処理槽４から排出された処理水Ｔ１を濾過する活性炭繊維であって、処理水Ｔ１に含まれる不純物（塩素、臭素等）を吸着して除去するものである。
【００５４】
さらに、水中ポンプ５ｅは、第２収容部５ｂ２に収容された処理水Ｔ２を汲み上げる電動ポンプであって、例えば、非自動型の強化樹脂製の排水用水中ポンプである。なお、水中ポンプ５ｅの吐出口には、ホース（図示せず）の一端部が接続され、ホースの他端部は、第２濾過槽６（図１参照）に投入されている。これにより、第２収容部５ｂ２に収容された処理水Ｔ２を汲み上げ、第２濾過槽６に排出することができる。
【００５５】
そしてさらに、水位計５ｆは、第２収容部５ｂ２に収容された処理水Ｔ２の水位を計測する液面レベルセンサであって、例えば、縦型のフロートスイッチである。
【００５６】
しかして、このように液体処理槽４から排出された処理水Ｔ１を濾過する第１濾過槽５を設けることにより、より浄化された洗浄水Ｗを得ることができ、もって、より快適にトイレを使用することができる。
【００５７】
第２濾過槽６は、図１に示すように、第１濾過槽５と洗浄水貯留槽７との間に設けられ、第１濾過槽５から排出された処理水Ｔ２を濾過する処理槽である。この第２濾過槽６には、ゼオライト等の濾過フィルタ（図示せず）が設けられており、第２濾過槽６に供給された処理水Ｔ２が濾過フィルタを通過することによって、処理水Ｔ２に含まれる不純物（アンモニア、窒素、リン等）が濾過フィルタに吸着して除去された洗浄水Ｗとなる。そして、第２濾過槽６で不純物が除去された洗浄水Ｗは、水中ポンプ（図示せず）を介して洗浄水貯留槽７に排出されることとなる。
【００５８】
しかして、このように第１濾過槽５から排出された処理水Ｔ２を濾過する第２濾過槽６を設けることにより、さらに浄化された洗浄水Ｗを得ることができ、もって、さらに快適にトイレを使用することができる。
【００５９】
洗浄水貯留槽７は、図１に示すように、第２濾過槽６と水洗便器２との間に設けられ、第２濾過槽６から排出された洗浄水Ｗにバイオ洗浄剤Ｂを混合して貯留する貯留槽（例えば、圧力水槽）である。バイオ洗浄剤Ｂは、例えば、好気性微生物によって尿素等を生分解して消滅させるものであって、無色透明のもの、あるいは、青色等に着色されたものである。なお、洗浄水貯留槽７に貯留された洗浄水Ｗは、圧力水槽の水圧によって、水洗タンク２ａ及び栄養剤貯留槽８に排出されることとなる。
【００６０】
栄養剤貯留槽８は、図１に示すように、洗浄水貯留槽７から排出された洗浄水Ｗが供給され、粉状栄養剤Ｎと混合された液状栄養剤Ｍを貯留するものであって、災害用トイレシステム１を初めて使用するときや、固形処理槽３に収容されたおがくずＤに付着した好気性微生物の活性が低下したときに、液状栄養剤Ｍを固形処理槽３に収容されたおがくずＤに供給する貯留槽である。この栄養剤貯留槽８は、切替手段（例えば、図示しない三方弁）を介して、配管部材３ｇ（図２参照）に接続されており、配管部材３ｇに接続された散水管３ｆ（図２参照）によって、液状栄養剤Ｍを固形処理槽３に収容されたおがくずＤに供給できるようになっている。粉状栄養剤Ｎは、好気性微生物を活性化（賦活）するものであって、例えば、炭素、窒素、リン、カリウム、マグネシウム、カルシウム等が配合された粉末状のものである。なお、液状栄養剤Ｍは、栄養剤貯留槽８から固形処理槽３に収容されたおがくずＤに排出されることとなる。これにより、固形処理槽３に収容されたおがくずＤに付着した好気性微生物が活性化することとなる。
【００６１】
しかして、このように、洗浄水貯留槽７から排出された洗浄水Ｗが供給され、粉状栄養剤Ｎと混合された液状栄養剤Ｍを貯留し、液状栄養剤Ｍを固形処理槽３に収容されたおがくずＤに供給する栄養剤貯留槽８を設けることにより、特に、災害時において上水道が使用できない場合であっても、栄養剤貯留槽８に洗浄水貯留槽７から排出された洗浄水Ｗを供給することができるから、液状栄養剤Ｍを固形処理槽３に収容されたおがくずＤに供給することができることとなる。
【００６２】
かくして、上記の構成される災害用トイレシステム１は、次のように使用される。この点、図１を参照しながら、詳細に説明する。
【００６３】
まず、図１に示すように、災害用トイレシステム１を初めて使用するとき、水洗タンク２ａ、固形処理槽３の液体排出装置３ｃ（図２参照）、液体処理槽４、第１濾過槽５、第２濾過槽６、洗浄水貯留槽７、栄養剤貯留槽８に、初期水としての洗浄水Ｗを供給するとともに、栄養剤貯留槽８に、粉状栄養剤Ｎと混合された液状栄養剤Ｍを貯留する。
【００６４】
次いで、好気性微生物が付着したおがくずＤを固形処理槽３の収容部３ｂに供給するとともに、栄養剤貯留槽８に貯留された液状栄養剤Ｍを固形処理槽３に収容されたおがくずＤに供給し、モータ３ｅ（図２参照）を駆動して撹拌装置３ｄを正転及び逆転しておがくずＤに空気Ａを注入するとともに、ヒータ３ｈを作動させることによっておがくずＤを加熱し、おがくずＤに付着した好気性微生物を活性化する。
【００６５】
次いで、好気性微生物が含有された活性汚泥を液体処理槽４に供給し、エアポンプ４ｃを駆動することによって散気管４ｅから空気Ａを洗浄水Ｗ及び活性汚泥に注入するとともに、ヒータ４ｆ（図２参照）を作動させることによって洗浄水Ｗ及び活性汚泥を加熱し、液体処理槽４に収容された活性汚泥に含有された好気性微生物を活性化する。
【００６６】
かくして、このようにして、災害用トイレシステム１を使用できる状態とする。
【００６７】
次に、災害用トイレシステム１を使用する際、図１に示すように、水洗便器２に屎尿Ｅを投入し、水洗タンク２ａから洗浄水Ｗを水洗便器２に供給することによって、水洗便器２に投入された屎尿Ｅ及び洗浄水Ｗを圧送粉砕ポンプ２ｂに排出するとともに、水洗便器２を洗浄する。
【００６８】
次いで、水洗便器２から排出された屎尿Ｅ及び洗浄水Ｗが、圧送粉砕ポンプ２ｂによって粉砕され、固形処理槽３に圧送される。
【００６９】
次いで、圧送粉砕ポンプ２ｂから排出された屎尿Ｅ及び洗浄水Ｗが、固形処理槽３に供給され、モータ３ｅが所定時間（例えば、９０秒間）駆動し、撹拌装置３ｄが正転及び逆転し、おがくずＤに空気Ａを注入し、屎尿Ｅ及び洗浄水Ｗの固形部分Ｓが、撹拌装置３ｄによって空気Ａが注入されたおがくずＤに付着した好気性微生物によって生分解されて消滅するとともに、屎尿Ｅ及び洗浄水Ｗの液体部分Ｌが、液体排出装置３ｃによって液体処理槽４に排出される。
【００７０】
次いで、液体排出装置３ｃから排出された屎尿Ｅ及び洗浄水Ｗの液体部分Ｌが、液体処理槽４に供給され、エアポンプ４ｃによって散気管４ｅから空気Ａが注入され、散気管４ｅによって空気Ａが注入された活性汚泥に含有された好気性微生物によって生分解されて浄化された処理水Ｔ１となるとともに、水中ポンプ４ｇによって液体処理槽４に収容された処理水Ｔ１が汲み上げられ、第１濾過槽５に排出される。
【００７１】
次いで、液体処理槽４から排出された処理水Ｔ１が、第１濾過槽５の第１収容部５ｂ１に供給され、濾過フィルタ５ｄによって濾過された処理水Ｔ２となり、濾過フィルタ５ｄによって濾過された処理水Ｔ２が、第１収容部５ｂ１から第２収容部５ｂ２に矢印Ｘ方向に向けて排出され、第２収容部５ｂ２に収容されるとともに、水中ポンプ５ｅによって第２収容部５ｂ２に収容された処理水Ｔ２が汲み上げられ、第２濾過槽６に排出される。
【００７２】
次いで、第１濾過槽５から排出された処理水Ｔ２が、第２濾過槽６に供給され、処理水Ｔ２から不純物が濾過フィルタに吸着して除去された洗浄水Ｗとなるとともに、水中ポンプ（図示せず）を介して洗浄水貯留槽７に排出される。
【００７３】
次いで、第２濾過槽６から排出された洗浄水Ｗが、バイオ洗浄剤Ｂと混合されて洗浄水貯留槽７に貯留され、洗浄水貯留槽７に貯留された洗浄水Ｗが、水洗タンク２ａに排出される。しかして、液体処理槽４から排出された処理水Ｔ１が、第１濾過槽５において濾過され処理水Ｔ２となり、その処理水Ｔ２が第２濾過槽６において不純物が除去され洗浄水Ｗとなることによって、洗浄水貯留槽７及び水洗タンク２ａを介して、水洗便器２に供給されて洗浄水Ｗとして環流されることとなる。
【００７４】
かくして、このようにして、災害用トイレシステム１を使用することができることなる。
【００７５】
しかして、以上説明した本実施形態によれば、固形処理槽３によって、水洗便器２から排出された屎尿Ｅ及び洗浄水Ｗの固形部分Ｓを撹拌装置３ｄによって空気Ａが注入されたおがくずＤに付着した好気性微生物によって生分解して消滅させるとともに、液体処理槽４によって、固形処理槽３から排出された屎尿Ｅ及び洗浄水Ｗの液体部分Ｌを散気管４ｅによって空気Ａが注入された活性汚泥に含有された好気性微生物によって生分解して浄化している。これにより、従来のように便槽に貯蔵された屎尿Ｅから臭気が発生することがなくなり、もって、快適にトイレを使用することができることとなる。
【００７６】
さらに、本実施形態によれば、液体処理槽４から排出された処理水Ｔ１が、水洗便器２に供給されて洗浄水Ｗとして環流されることとなるから、特に、災害時において上水道が使用できない場合であっても、水洗便器２に洗浄水Ｗを供給することができ、もって、水洗便器２に屎尿Ｅが付着して汚染されることがなくなる。これにより、衛生的にトイレを使用することができることとなる。
【００７７】
なお、本実施形態において示した形状等はあくまで一例であり、特許請求の範囲に記載された本発明の要旨の範囲内において、種々の変形・変更が可能である。例えば、本実施形態においては、災害用トイレシステム１として、主に、災害時に使用するものを例示したが、これに限らず、例えば、工事現場、海水浴場、展示会場、コンサート会場、イベント会場などの仮設トイレ、離島、山岳、河川敷、キャンプ場、スポーツ施設、観光施設、公園、駅などの公衆トイレ、車両、航空機、船舶などの移動型トイレ、下水道、下水処理場（終末処理場）、屎尿収集車（バキュームカー）、屎尿処理施設（一般廃棄物処理施設）、浄化槽（合併処理浄化槽）が使用できない地域の家庭用トイレ等に使用する自己処理型（自己完結型）のものであってもよい。
【００７８】
また、本実施形態においては、液体処理槽４において好気性微生物が含有される担体として、活性汚泥法で使用される活性汚泥を例示したが、これに限らず、例えば、生物膜法で使用される生物膜、膜分離活性汚泥法（ＭＢＲ法）で使用される精密濾過膜（ＭＦ膜）、限外濾過膜（ＵＦ膜）などの分離膜等の担体であってもよい。
【００７９】
さらにまた、本実施形態においては、圧送粉砕ポンプ２ｂが、水洗便器２と別体で設けられるものを例示したが、これに限らず、例えば、水洗便器２と一体で設けられるものであってもよい。また、災害用トイレシステム１が、圧送粉砕ポンプ２ｂを備えていないものであってもよい。さらにまた、災害用トイレシステム１が、水洗便器２と固形処理槽３との間に設けられ、圧送粉砕ポンプ２ｂを経由しない配管部材（図示せず）をさらに備えていてもよい。この場合、例えば、停電時において、圧送粉砕ポンプ２ｂのモータが駆動しないときであっても、圧送粉砕ポンプ２ｂを経由しない配管部材を介して屎尿Ｅ及び洗浄水Ｗを水洗便器２から固形処理槽３に排出することができる。
【００８０】
さらにまた、本実施形態においては、撹拌装置３ｄがモータ３ｅの駆動によって回転するものを例示したが、これに限らず、例えば、撹拌装置３ｄの撹拌軸を、手回しで回転する手動ハンドル、足漕ぎで回転する足漕ペダルを設けてもよい。この場合、例えば、停電時において、モータ３ｅが駆動しないときであっても、手動ハンドル、足漕ペダルによって撹拌装置３ｄを回転し、おがくずＤ、屎尿Ｅ及び洗浄水Ｗの固形部分Ｓを撹拌して空気Ａを注入することができる。
【００８１】
さらにまた、本実施形態においては、水中ポンプ４ｇ，４ｈ，５ｅが電動ポンプであるものを例示したが、これに限らず、例えば、手押しポンプ、フットポンプ等の手動ポンプであってもよい。この場合、例えば、停電時において、水中ポンプ４ｇ，４ｈ，５ｅが駆動しないときであっても、手動ポンプによって処理水Ｔ１，Ｔ２を汲み上げることができる。
【００８２】
さらにまた、本実施形態においては、栄養剤貯留槽８に粉状栄養剤Ｎを供給するものを例示したが、これに限らず、例えば、質量パーセント濃度が１０％となるように、屎尿Ｅをさらに供給するものであってもよい。この場合、粉状栄養剤Ｎと混合された液状栄養剤Ｍを固形処理槽３に収容されたおがくずＤに排出することによって、固形処理槽３に収容されたおがくずＤに付着した好気性微生物をさらに活性化することができる。さらにまた、災害用トイレシステム１が、栄養剤貯留槽８を備えていないものであってもよい。
【符号の説明】
【００８３】
１          災害用トイレシステム
２          水洗便器
２ａ        水洗タンク
２ｂ        圧送粉砕ポンプ（圧送粉砕装置）
３          固形処理槽
３ａ        本体部
３ａ１      開口部
３ｂ        収容部
３ｂ１      下端部
３ｃ        液体排出装置
３ｃ１      貯留部材
３ｃ１ａ    先端部
３ｃ１ｂ    基端部
３ｃ２      調整部材
３ｃ３      支持部材
３ｃ４      濾過フィルタ
３ｄ        撹拌装置
３ｅ        モータ
３ｆ        散水管（液体供給装置）
３ｇ        配管部材
３ｈ        ヒータ
３ｉ        温度計
４          液体処理槽
４ａ        本体部
４ｂ        収容部
４ｃ        エアポンプ
４ｄ        配管部材
４ｅ        散気管（曝気装置）
４ｆ        ヒータ
４ｇ，４ｈ  水中ポンプ
４ｉ        水位計
５          第１濾過槽
５ａ        本体部
５ｂ        収容部
５ｂ１      第１収容部
５ｂ２      第２収容部
５ｃ        板状部材
５ｃ１      開口部
５ｄ        濾過フィルタ
５ｅ        水中ポンプ
５ｆ        水位計
６          第２濾過槽
７          洗浄水貯留槽
８          栄養剤貯留槽
Ａ          空気
Ｂ          バイオ洗浄剤
Ｄ          おがくず
Ｅ          屎尿
Ｈ１，Ｈ２  貯留部材の先端部の高さ
Ｌ          液体部分
Ｍ          液状栄養剤
Ｎ          粉状栄養剤
Ｐ          貯留空間
Ｓ          固形部分
Ｔ１，Ｔ２  処理水
Ｗ          洗浄水
Ｘ          処理水の排出方向
Ｙ          液体部分の排出方向
【図１】
2019073944.tif 000003
【図２】
2019073944.tif 000004
【図３】
2019073944.tif 000005